(57)【要約】【課題】レンズの光軸の調整を容易に行うことができるレンズ鏡筒を提供する。【解決手段】調整部材９を筐体５内に収容する。調整部材９は、筐体５内のレンズ４と係合可能な包囲部９１と、レンズ４に移動可能な操作力を与える操作部９２とを有する。筐体５内に包囲部９１が収容されたときに操作部９２が挿入される孔５６を有する孔部を筐体５に形成する。【選択図】図１
2007240740.tif 000002
【特許請求の範囲】
【請求項１】
レンズを収容する円筒部と、
前記円筒部内に収容され、前記円筒部内の前記レンズと係合可能な係合部と、前記係合部に設けられ、前記レンズに移動可能な操作力を与える操作部とを有する調整部材と、
前記円筒部に形成され、前記円筒部内に前記係合部が収容されたときに前記操作部が挿入される孔を有する孔部と
を備えていることを特徴とするレンズ鏡筒。
【請求項２】
前記操作部の一部が前記孔部から突出していることを特徴とする請求項１記載のレンズ鏡筒。
【請求項３】
前記操作部が前記孔部に収まっていることを特徴とする請求項１記載のレンズ鏡筒。
【請求項４】
前記係合部は前記レンズの外周面のほぼ全周を包囲する１つの帯状ばね部材であり、
前記操作部は前記帯状ばね部材の折り曲げられた両端部である
ことを特徴とする請求項１、２又は３記載のレンズ鏡筒。
【請求項５】
レンズを収容する円筒部と、
前記円筒部に形成され、外部から前記レンズに移動可能な操作力を与える冶具を係合させるための孔を有する孔部と
を備えていることを特徴とするレンズ鏡筒。
【請求項６】
前記孔部を通じて前記円筒部内に挿入された前記冶具の先端に係合する冶具係合部が前記レンズの周縁部に形成されていることを特徴とする請求項５記載のレンズ鏡筒。
【請求項７】
前記冶具係合部は凹部であることを特徴とする請求項６記載のレンズ鏡筒。
【請求項８】
前記冶具係合部は凸部であることを特徴とする請求項６記載のレンズ鏡筒。
【請求項９】
前記孔部の孔は前記円筒部の周方向へ延びる長孔であることを特徴とする請求項１〜８のいずれか１項記載のレンズ鏡筒。
【請求項１０】
前記孔部は複数の孔を有することを特徴とする請求項１〜９のいずれか１項記載のレンズ鏡筒。
【発明の詳細な説明】
【技術分野】
【０００１】
この発明はレンズ鏡筒に関する。
【背景技術】
【０００２】
従来、固定板と複数の保持部材とを備えるレンズ光軸調整装置が知られている（下記特許文献１参照）。
【０００３】
固定板はリング状であり、レンズの外周縁部に対向する。
【０００４】
複数の保持部材は円柱状であり、偏心回転可能に固定板に等間隔に設けられている。
【０００５】
保持部材を偏心回転させて保持部材の外周面をレンズの外周面に密着させることによってレンズは保持される。
【特許文献１】特開平３−１７２８１０号公報
【発明の開示】
【発明が解決しようとする課題】
【０００６】
このレンズ光軸調整装置でレンズの光軸の位置を調整するには、まず、複数の保持部材のうちの特定の保持部材を回転させて、レンズと保持部材との間に隙間を作る。
【０００７】
次に、偏心回転させた保持部材の外周面にレンズの外周面を押し付ける。
【０００８】
その後、残りの保持部材を偏心回転させて、これらの保持部材の外周面をレンズの外周面に押し付ける。このようにしてレンズの光軸の位置が調整される。
【０００９】
このように従来のレンズ光軸調整装置では、複数の保持部材の全てを個々に偏心回転させる必要があるため、レンズの光軸の位置調整が容易ではないという問題があった。
【００１０】
この発明はこのような事情に鑑みてなされたもので、その課題はレンズの光軸の調整を容易に行うことができるレンズ鏡筒を提供することである。
【課題を解決するための手段】
【００１１】
前述の課題を解決するため請求項１の発明のレンズ鏡筒は、レンズを収容する円筒部と、前記円筒部内に収容され、前記円筒部内の前記レンズと係合可能な係合部と、前記係合部に設けられ、前記レンズに移動可能な操作力を与える操作部とを有する調整部材と、前記円筒部に形成され、前記円筒部内に前記係合部が収容されたときに前記操作部が挿入される孔を有する孔部とを備えていることを特徴とする。
【００１２】
請求項２の発明は、請求項１記載のレンズ鏡筒において、前記操作部の一部が前記孔部から突出していることを特徴とする。
【００１３】
請求項３の発明は、請求項１記載のレンズ鏡筒において、前記操作部が前記孔部に収まっていることを特徴とする。
【００１４】
請求項４の発明は、請求項１、２又は３記載のレンズ鏡筒において、前記係合部は前記レンズの外周面のほぼ全周を包囲する１つの帯状ばね部材であり、前記操作部は前記帯状ばね部材の折り曲げられた両端部であることを特徴とする。
【００１５】
請求項５の発明のレンズ鏡筒は、レンズを収容する円筒部と、前記円筒部に形成され、外部から前記レンズに移動可能な操作力を与える冶具を係合させるための孔を有する孔部とを備えていることを特徴とするレンズ鏡筒。
【００１６】
請求項６の発明は、請求項５記載のレンズ鏡筒において、前記孔部を通じて前記円筒部内に挿入された前記冶具の先端に係合する冶具係合部が前記レンズの周縁部に形成されていることを特徴とする。
【００１７】
請求項７の発明は、請求項６記載のレンズ鏡筒において、前記冶具係合部は凹部であることを特徴とする。
【００１８】
請求項８の発明は、請求項６記載のレンズ鏡筒において、前記冶具係合部は凸部であることを特徴とする。
【００１９】
請求項９の発明は、請求項１〜８のいずれか１項記載のレンズ鏡筒において、前記孔部の孔は前記円筒部の周方向へ延びる長孔であることを特徴とする。
【００２０】
請求項１０の発明は、請求項１〜９のいずれか１項記載のレンズ鏡筒において、前記孔部は複数の孔を有することを特徴とする。
【発明の効果】
【００２１】
この発明のレンズ鏡筒によれば、調整部材によりレンズを移動できるので、レンズの光軸の調整を容易に行うことができる。
【発明を実施するための最良の形態】
【００２２】
以下、この発明の実施の形態を図面に基づいて説明する。
【００２３】
図１はこの発明の第１の実施形態に係るレンズ鏡筒の断面図、図２は図１のＡ−Ａ線に沿う断面図であって、図１のレンズ鏡筒のレンズを環状調整部材で保持する前の状態を示す図、図３は図１のＡ−Ａ線に沿う断面図であって、図１のレンズ鏡筒のレンズを環状調整部材で保持した状態を示す図である。
【００２４】
図１、２に示すように、このレンズ鏡筒はレンズ３，４と筐体（円筒部）５と押さえ環７，８と環状調整部材（調整部材）９とを備える。
【００２５】
レンズ３，４は凸レンズである。
【００２６】
筐体５は円筒状であり、レンズ３，４を収容するレンズ室５１を有する。筐体５の中間部の内周面には２つの環状突起５２，５３が形成されている。また、筐体５の一端部の内周面には雌ねじ５４が、筐体５の他端部の内周面には雌ねじ５５がそれぞれ形成されている。環状突起５２の雌ねじ５４側には支持面５２ａが形成されている。環状突起５３の雌ねじ５５側には支持面５３ａが形成されている。
【００２７】
筐体５の他端部には孔５６が形成されている。孔５６は大径部と小径部とを有する。孔５６とその周辺部分とで孔部が構成されている。
【００２８】
また、筐体５の他端部の内周面には環状凹部５７が形成されている。
【００２９】
押さえ環７，８の外周面にはそれぞれ雄ねじ７１，８１が形成されている。押さえ環７は雌ねじ５４に捩じ込まれる。押さえ環８は雌ねじ５５に捩じ込まれる。
【００３０】
環状調整部材９は１つの帯状ばね部材９０を折り曲げて形成したものであり、包囲部（係合部）９１と操作部９２，９２とを有する。包囲部９１はほぼ環状に折り曲げられたものであり、レンズ４の外周面４０のほぼ全周を包囲するとともに、レンズ４の外周面４０に対して接離可能である。操作部９２，９２は帯状ばね部材９０の両端部をそれぞれ半径方向外側ヘ折り曲げて形成されたものである。操作部９２，９２の先端部分９２ａは孔５６から筐体５外へ突出している。
【００３１】
次に、このレンズ鏡筒の組立手順について説明する。
【００３２】
まず、筐体５の一端部を上に向け、支持面５２ａ上にレンズ３を置く。
【００３３】
次に、押さえ環７の雄ねじ７１を雌ねじ５４に捩じ込む。その結果、レンズ３は環状突起５２と押さえ環７とによって挟まれ、筐体５に固定される。
【００３４】
その後、筐体５を反転させ、筐体５の他端部を上に向ける。そして、環状調整部材９の操作部９２，９２を孔５６に通すとともに包囲部９１を環状凹部５７内に収める。
【００３５】
次に、レンズ４を包囲部９１に通すとともに支持面５３ａ上に置く。
【００３６】
その後、押さえ環８の雄ねじ８１を雌ねじ５５に捩じ込む。その結果、レンズ４は環状突起５３と押さえ環８とによって挟まれ、筐体５に固定される。
【００３７】
以上の工程を経て、レンズ鏡筒の組立が完了する。
【００３８】
次に、レンズ３，４の光軸調整について説明する。
【００３９】
まず、押さえ環８を緩める。
【００４０】
次に、図３中の矢印で示すように、環状調整部材９の操作部９２，９２を指で摘み、操作部９２，９２を操作し、光軸調整を行なう。操作部９２，９２を摘むと、包囲部９１がレンズ４の外周面に圧接し、包囲部９１がレンズ４を抱持するので、レンズ４を動かすことができる。
【００４１】
最後に、レンズ３の光軸Ｌ２に対するレンズ４の光軸Ｌ１の調整が完了したら、押さえ環８を雌ねじ５５に捩じ込み、レンズ４を筐体５に固定する。
【００４２】
以上の工程を経て、レンズ４の光軸Ｌ１とレンズ３の光軸Ｌ２とが一致する。
【００４３】
第１の実施形態によれば、操作部９２，９２を操作するだけでレンズ４を半径方向へ動かすことができるので、レンズ３の光軸Ｌ２に対してレンズ４の光軸Ｌ１の調整を簡単に行なうことができる。
【００４４】
また、支持面５３ａと接触するレンズ４の表面が凸面であるので、レンズ４の径方向に沿ってレンズ４の光軸Ｌ１を移動させると、レンズ４の光軸Ｌ１の向きも変えることができる。
【００４５】
なお、上述の実施形態では調整部材として環状調整部材９を用いたが、調整部材はこれに限られず、例えば、レンズ４の外周面４０に形成された図示しない穴に固定されたピン（図示せず）でもよい。
【００４６】
図４はこの発明の第２の実施形態に係るレンズ鏡筒の断面図、図５は図４に示すレンズ鏡筒のレンズを環状調整部材で回転させた状態を示す断面図である。
【００４７】
第１の実施形態に係るレンズ鏡筒と共通する部分については同一符号を付してその説明を省略する。以下、主な相違部分についてだけ説明する。
【００４８】
第１の実施形態に係るレンズ鏡筒では、レンズ４を光軸Ｌ１周りへ大きく回転させることができないが、第２の実施形態に係るレンズ鏡筒では、レンズ４を光軸Ｌ１周りへ大きく回転させることができようにした。
【００４９】
また、この実施形態では、環状調整部材９の操作部９２を通す孔として筐体５の周方向へ延びる長孔２５６を採用した。
【００５０】
レンズ４を回転させるには、まず、環状調整部材９の操作部９２，９２を摘んで、図４に示すように、包囲部９１をレンズ４の外周面に圧接し、包囲部９１でレンズ４を抱持する。
【００５１】
次に、この状態で操作部９２，９２を孔２５６に沿って時計方向へ移動させる。その結果、レンズ４は光軸Ｌ１を中心にして時計方向へ回転し、図５に示す状態になる。
【００５２】
レンズ４を同方向へ更に回転させるには、操作部９２，９２を摘む力を小さくして操作部９２，９２間の距離を広げ、レンズ４の外周面４０に対する包囲部９１の圧接状態を解除する。この状態で、操作部９２，９２を孔２５６に沿って反時計方向へ移動させ、図４に示す元の状態に戻す。このとき、包囲部９１はレンズ４の外周面４０に圧接していないのでので、レンズ４が反時計方向へつれ回りしない。
【００５３】
その後、再び時計方向へレンズ４の回転操作を行なえばよい。
【００５４】
第２の実施形態に係るレンズ鏡筒では、レンズ４を光軸Ｌ１周りへ任意に回転させることができるので、より細かく光軸調整を行なうことができ、また、レンズ３との光学的なマッチングを行うことができる。
【００５５】
図６はこの発明の第３の実施形態に係るレンズ鏡筒を示す断面図、図７は図６のＢ−Ｂ線に沿う断面図であって、図６のレンズ鏡筒のレンズを回転させる前の状態を示す図、図８はＢ−Ｂ線に沿う断面図であって、図６のレンズ鏡筒のレンズを回転させた後の状態を示す図である。
【００５６】
第１の実施形態に係るレンズ鏡筒と共通する部分については同一符号を付してその説明を省略する。以下、主な相違部分についてだけ説明する。
【００５７】
第１の実施形態に係るレンズ鏡筒では、調整部材として筐体５内に環状調整部材９を収容し、レンズ４の位置調整をしたが、第３の実施形態に係るレンズ鏡筒では、環状調整部材９の代わりに、棒状治具（治具）３０９を用いて筐体３０５内のレンズ３０４の位置調整をできるようにした。
【００５８】
図６、７に示すように、筐体３０５に長孔（孔）３５６が形成されている。長孔３５６は筐体３０５の周方向へ延びている。
【００５９】
レンズ３０４の外周面３４０には、所定間隔で複数の凹部（治具係合部）３４１が形成されている。互いに隣接する凹部３４１の間隔は長孔３５６の長さ以下に設定されている。凹部３４１には弾性材料から成る棒状治具３０９の先端部３９１が圧入される。
【００６０】
レンズ３０４の光軸Ｌ３の調整を行なうには、まず、押さえ環８を締めた状態で、図７に示すように、孔３５６を通じて棒状治具３０９の先端部３９１をレンズ３０４の凹部３４１に圧入する。
【００６１】
次に、押さえ環８を緩める。
【００６２】
その後、棒状治具３０９を操作してレンズ３０４を動かす。棒状治具３０９の先端部３９１をレンズ３０４の凹部３４１に圧入すると、棒状治具３０９がレンズ３０４に連結され、レンズ３０４と棒状治具３０９とが一体化するので、棒状治具３０９を操作することによってレンズ３０４を押したり、引いたり、回転させたりすることができる。レンズ３０４の光軸Ｌ３がレンズ３の光軸Ｌ２に一致したら、操作を止める。
【００６３】
レンズ３０４を回転させる必要がある場合には、図７に示す状態から、棒状治具３０９を孔３５６に沿って時計方向へ移動させ、図８に示す状態にすればよい。
【００６４】
レンズ４を時計方向へ更に回転させるには、図８に示す状態の棒状治具３０９を凹部３４１から引き抜き、その棒状治具３０９の先端部３９１を孔３５６の左端の近傍に位置する凹部３４１に圧入し、再度、棒状治具３０９を孔３５６に沿って時計方向へ移動させればよい。
【００６５】
レンズ３０４の光軸Ｌ３の調整が完了したら、押さえ環８を雌ねじ５５に捩じ込み、レンズ３０４を筐体３０５に固定し、その後、凹部３４１から棒状治具３０９を引き抜く。
【００６６】
第３の実施形態によれば、筐体３０５内に収容される調整部材が採用されておらず、しかも、筐体３０５の長孔３５６から外部へ突出する部分が無いので、レンズ鏡筒をより小型化することができる。
【００６７】
図９はこの発明の第４の実施形態に係るレンズ鏡筒の断面図である。
【００６８】
第３の実施形態に係るレンズ鏡筒と共通する部分については同一符号を付してその説明を省略する。以下、主な相違部分についてだけ説明する。
【００６９】
第３の実施形態に係るレンズ鏡筒では、治具として棒状治具３０９を用いたが、第４の実施形態に係るレンズ鏡筒では、治具としてペンチのような挟持機能を有するペンチ状治具（図示せず）を用いる。このペンチ状治具の凹部でレンズ４０４の一部を挟持することによって筐体３０５内のレンズ４０４の位置調整を行うようにした。
【００７０】
図９に示すように、レンズ４０４の外周面４４０に周方向へ僅かな間隔で２つの凹部４４２，４４３を形成することにより、凸部（治具係合部）４４４を形成した。凸部４４４はペンチ状治具によって挟まれる部分である。凸部４４４は周方向へ所定間隔に設けられている。互いに隣接する凸部４４４の間隔は長孔３５６の長さよりも小さく設定されている。
【００７１】
第４の実施形態に係るレンズ鏡筒によれば、レンズ４０４と治具との連結作業をより簡単に行なえる。
【００７２】
図１０はこの発明の第５の実施形態に係るレンズ鏡筒の断面図、図１１は図１０に示すＣ−Ｃ線に沿う断面図である。
【００７３】
第１、第３の実施形態に係るレンズ鏡筒と共通する部分については同一符号を付してその説明を省略する。以下、主な相違部分についてだけ説明する。
【００７４】
第３の実施形態に係るレンズ鏡筒では、レンズ３０４の１箇所に棒状治具３０９を連結するようにしたが、第５の実施形態では、レンズ３０４の２箇所に棒状治具を連結できるようにした。
【００７５】
この場合、棒状治具をレンズ３０４の凹部３４１に圧入させる必要はなく、したがって、棒状治具を弾性材料から作る必要はない。また、棒状治具の外径は凹部３４１の内径よりも小さくてよい。
【００７６】
図１０、１１に示すように、筐体５０５の２箇所に長孔（孔）５５６を形成した。長孔５５６同士は筐体５０５の径方向で対向する。長孔５５６の長さは互いに隣接する凹部３４１の間隔よりも大きく設定されている。
【００７７】
第５の実施形態によれば、レンズ３０４の中心に対して点対称の２箇所で棒状治具を連結できるので、レンズ３０４の光軸の調整をより簡単に行なうことができる。
【００７８】
なお、上述の実施形態では、レンズ鏡筒が２つのレンズ３，４（３０４，４０４）を備えたものであるが、この発明はレンズを１つ備えたレンズ鏡筒又は３つ以上備えたレンズ鏡筒にも適用することができる。
【図面の簡単な説明】
【００７９】
【図１】図１はこの発明の第１の実施形態に係るレンズ鏡筒の断面図である。
【図２】図２は図１のＡ−Ａ線に沿う断面図であって、図１のレンズ鏡筒のレンズを環状調整部材で保持する前の状態を示す図である。
【図３】図３は図１のＡ−Ａ線に沿う断面図であって、図１のレンズ鏡筒のレンズを環状調整部材で保持した状態を示す図である。
【図４】図４はこの発明の第２の実施形態に係るレンズ鏡筒の断面図である。
【図５】図５は図４に示すレンズ鏡筒のレンズを環状調整部材で回転させた状態を示す断面図である。
【図６】図６はこの発明の第３の実施形態に係るレンズ鏡筒を示す断面図である。
【図７】図７は図６のＢ−Ｂ線に沿う断面図であって、図６のレンズ鏡筒のレンズを回転させる前の状態を示す図である。
【図８】図８はＢ−Ｂ線に沿う断面図であって、図６のレンズ鏡筒のレンズを回転させた後の状態を示す図である。
【図９】図９はこの発明の第４の実施形態に係るレンズ鏡筒の断面図である。
【図１０】図１０はこの発明の第５の実施形態に係るレンズ鏡筒の断面図である。
【図１１】図１１は図１０に示すＣ−Ｃ線に沿う断面図である。
【符号の説明】
【００８０】
３：レンズ、４，３０４，４０４：レンズ、４０，３４０，４４０：レンズの外周面、  ３４１：凹部（治具係合部）、４４４：凸部（治具係合部）、５，２０５，３０５，５０５  筐体（円筒部）、５１：レンズ室、５６，２５６，３５６：孔、９：環状調整部材（調整部材）、９０：帯状ばね部材、９１：包囲部（係合部）、９２：操作部
【図１】
2007240740.tif 000003
【図２】
2007240740.tif 000004
【図３】
2007240740.tif 000005
【図４】
2007240740.tif 000006
【図５】
2007240740.tif 000007
【図６】
2007240740.tif 000008
【図７】
2007240740.tif 000009
【図８】
2007240740.tif 000010
【図９】
2007240740.tif 000011
【図１０】
2007240740.tif 000012
【図１１】
2007240740.tif 000013